(57)【要約】【課題】従来のタイル張りは、目地割り作業をタイル職人の勘で決めていたため，熟練を要すると共に、時間がかかり，各幅が微妙にずれて不揃いになりやすいという問題を解決することである。【解決手段】建築基材上に、複数の矩形のタイルを所定の目地間隔で、規律正しく配し、且つ、効率よく、仕上面を構成するタイル施工用補助固定具及び、その施工方法を提供する。【選択図】図１
2010180680.tif 000002
【特許請求の範囲】
【請求項１】
建築基材上に、複数の矩形のタイルを所定の目地間隔で、規律正しく配列し、仕上面を構成する施工用の補助固定具であり、その形状は、直角に交差する十字型の立体であり、複数の矩形のタイルの内、４枚の角部がそれぞれ密着し、目地材によって隠蔽されることを特徴とするタイル施工用補助固定具。
【請求項２】
建築基材上に、複数の矩形のタイルを所定の目地間隔で、規律正しく配列し、仕上面を構成する施工用の補助固定具であり、その形状は、直角に交差するＴ字型の立体であり、複数の矩形のタイルの内、２枚の角部がそれぞれ密着し、目地材によって隠蔽されることを特徴とするタイル施工用補助固定具。
【請求項３】
建築基材上に、接着剤を塗りつける工程、
基点となるタイルを張り付ける工程、
前記張り付けたタイルの角部に、請求項１又は２のいずれかのタイル施工用補助固定具を取り付ける工程、
前記補助固定具を基準として、次のタイルを張り付ける工程、
前記補助固定具を隠蔽するように、目地材を注入する工程、
を含むことを特徴とするタイル施工方法。
【請求項４】
請求項３記載ののタイル施工方法によってタイルが施工されたことを特徴とする建築物。
【発明の詳細な説明】
【技術分野】
【０００１】  本発明は、建築基材上へ複数の矩形のタイルを集結して、規律正しい目地間隔で、きわめて良好なタイル張り構造を提供出来る、タイル施工用補助固定具。
【背景技術】
【０００２】  従来、複数のタイルを張り付ける場合には、まず、タイルを張る予定面にタイル割を墨付け、縦横所定の目地間隔で目地割釘を打ちつけ、上下左右、その対向する目地割釘間に釘割り糸を張設すると共に、該釘割り糸に、所定の目地間隔で目印を記し、次に、該目地割糸に沿って接着材を塗布し、タイルを所定の目地間隔で一枚ずつ張っていた。
【発明の概要】
【発明が解決しようとする課題】
【０００３】  従来のタイル張り施工法では、目地割釘の打ち付けや、目地割糸の張設等の目地割り作業をタイル職人の勘で決めていたため，熟練を要すると共に、時間がかかり，且つ、タイル間の目地幅が微妙にずれて不揃いになりやすいという問題を解決することである。
【課題を解決するための手段】
【０００４】  本発明は、上記課題を一気に解決したタイル施工用補助固定具を提供する。
本発明の第一の発明は、建築基材上に、複数の矩形のタイルを所定の目地間隔で、規律正しく配列し、仕上面を構成する施工用の補助固定具であり、その形状は、直角に交差する十字型の立体であり、複数の矩形のタイルの内、４枚の角部がそれぞれ密着し、目地材によって隠蔽されることを特徴とするタイル施工用補助固定具。【０００５】  本発明の第二の発明は、建築基材上に、複数の矩形のタイルを所定の目地間隔で、規律正しく配列し、仕上面を構成する施工用の補助固定具であり、その形状は、直角に交差するＴ字型の立体であり、複数の矩形のタイルの内、２枚の角部がそれぞれ密着し、目地材によって隠蔽されることを特徴とするタイル施工用補助固定具。【０００６】  本発明の第三の発明は、
建築基材上に、接着剤を塗りつける工程、
基点となるタイルを張り付ける工程、
前記張り付けたタイルの角部に、請求項１又は２のいずれかのタイル施工用補助固定具を取り付ける工程、
前記補助固定具を基準として、次のタイルを張り付ける工程、
前記補助固定具を隠蔽するように、目地材を注入する工程、
を含むことを特徴とするタイル施工方法。【０００７】  本発明の第四の発明は、
請求項３記載のタイル施工方法によってタイルが施工されたことを特徴とする建築物。
【発明の効果】
【０００８】  本発明は、タイル張工事を熟練者でなくても、タイル間の目地幅を均一に、且つ、迅速に作業を行う優れた効果が達成出来る。更に、基点となる最初の一枚目がどの位置からも可能であり、限定されないのも、該タイル施工用固定具の特徴でもある。
【図面の簡単な説明】
【０００９】
【図１】本発明のタイル施工用補助固定具の第１の形状を示す立体概略図
【図２】本発明のタイル施工用補助固定具の第２の形状を示す立体概略図
【図３】本発明の施工用の補助固定具を用いたタイル芋張り構成概略図
【図４】本発明の施工用の補助固定具を用いたタイル馬張り構成概略図
【図５】Ａ−Ａタイル張り断面概略図
【図６】Ｂ−Ｂタイル張り断面概略図
【符号の説明】
【００１０】  １  建築基盤
２  接着材
３  タイル
４  タイル施工用補助固定具
５  タイル施工用補助固定具
６  目地シーリング
７  建築基盤仕上面
【発明を実施するための形態】
【００１１】  本発明は、建築基材上１に、比較的大きめの複数の矩形のタイル張りの配列を規律正しく均等に、且つ、迅速に効率よく作業出来るよう、考案された、タイル施工用補助固定具であり、その材質は、例えば、塩ビ系もしくは、発泡スチロール系、等の硬質樹脂系か又は、錆難いアルミ等の金属系であり、十字型の補助固定具４と、Ｔ字型の補助固定具５の、二種類である。通常、タイル張り形式は、大まかに、芋張りと、馬張りの、二種類の型式があって、該十字型の補助固定具４は、図３に示すように、芋張りのタイル目地の連結に使われ，該Ｔ字型の補助固定具５は、図４に示すように、馬張りタイル目地の連結、又は、図３に示すように、芋及び馬張り双方の外周縁の目地に使用される。
【００１２】  該十字型の補助固定具４は、長さ３０〜４０ｍｍ位の矩形の立方体の２体がその中心部で直角の交差して十字型を形成し、その厚みは、使用するタイルの厚みにより、５〜６ｍｍが適切で、その幅は、設計上で要望されるタイルの目地幅に応じて、２〜１５ｍｍと、それぞれが、個々に対応する。
【００１３】  該Ｔ字型の補助固定具５は、長さ３０〜４０ｍｍ位の矩形の立方体の中心部に、長さ１５〜２０ｍｍ位の矩形の立方体が直角に交差してＴ型を形成し、その厚みは、使用するタイルの厚みにより、５〜６ｍｍが適切で、その幅は、設計上で要望されるタイルの目地幅に応じて、２〜１５ｍｍと、それぞれが、個々に対応する。
【００１４】  本発明は、建築基材上１に、タイル張り工事を施工するにあたり、まずは、タイル割りを墨付け後、接着材２を、塗り付け、基点となる最初のタイル一枚を張り付け、そのタイル３の、角部にタイル張りの形式に応じて該十字型の補助固定具４か、もしくは、該Ｔ字型の補助固定具５の、どちらかが、上下左右に取り付けられ、それを基準にして、次のタイル３と、該補助固定具４、もしくは５が、次々と、順に張り繰り返えされ、最後に目地材６が、注入され、連結されて、完成したタイル仕上げ面を構築する。
【００１５】  更に、本発明は、基点となる最初の張り出しのタイルの位置は、どの位置からでも可能であり、基点が特定されないのもタイル張り作業の効率を高め、優れた効果を発揮する。
【００１６】なお、本発明は、何ら上記実施例に限定されるものではなく、例えば、以下のようなものも含まれる。
（１）前記実施例に示した数値は一例である。寸法、材料も同様である。
（２）本発明のタイルには、石も含まれる。
【図１】
2010180680.tif 000003
【図２】
2010180680.tif 000004
【図３】
2010180680.tif 000005
【図４】
2010180680.tif 000006
【図５】
2010180680.tif 000007
【図６】
2010180680.tif 000008